(57)【要約】本開示は、医療用デバイスを含む密封されたパッケージの少なくとも一部を受容するように構成および定寸される基部と、基部に隣接する密封されたパッケージの少なくとも一部の上に重なるように適合されるカバーとを有する、パッケージ内に密封された医療用デバイスにアクセスするための装置を記載する。カバーは、パッケージを穿孔し、その中に密封されたデバイスにアクセスするために、自身を貫通して穿孔構造を受容するように構成および定寸される入口を含む。
2010520020.tif 000002
【特許請求の範囲】
【請求項１】
パッケージ内に密封された医療用デバイスにアクセスするための装置であって、
医療用デバイスを収容する密封されたパッケージの少なくとも一部を受容するように構成および定寸される基部と、
該基部に隣接する該密封されたパッケージの少なくとも一部の上に重なるように適合されるカバーであって、該カバーは、該パッケージを穿孔し、その中に密封された該デバイスにアクセスするために、該パッケージ部分の上の所定の位置に隣接して配置される入口を含み、該入口は、自身を貫通して穿孔構造を受容するように構成および定寸される、カバーと
を備える、装置。
【請求項２】
前記装置は、一体構造である、請求項１に記載の装置。
【請求項３】
前記密封されたパッケージは、ホイルパックである、請求項１に記載の装置。
【請求項４】
前記入口は、自己密封式の隔壁である、請求項１に記載の装置。
【請求項５】
穿孔構造をさらに備える、請求項１に記載の装置。
【請求項６】
機械的係合構造をさらに備える、請求項１に記載の装置。
【請求項７】
前記機械的係合構造は、第１の係止部材と、第２の係止部材とを備える、請求項６に記載の装置。
【請求項８】
前記第１および第２の係止部材は、磁石、スナップ、リベット、ストラップ、ベルクロ、連結デバイス、およびそれらの組み合わせから成る群から選択される、請求項７に記載の装置。
【請求項９】
前記第１の係止部材は、概してＴ形のフランジである、請求項７に記載の装置。
【請求項１０】
前記概してＴ形のフランジは、前記第２の係止部材を係合するために、アームと、前方フランジと、後方フランジとを備える、請求項９に記載の装置。
【請求項１１】
前記第２の係止部材は、概してＬ形のフランジを備える、請求項７に記載の装置。
【請求項１２】
前記概してＬ形のフランジは、前記第１の係止部材を係合するために、アームと、縁部とを備える、請求項１１に記載の装置。
【請求項１３】
パッケージ内に密封された医療用デバイスにアクセスするための装置であって、
医療用デバイスを収容する密封されたパッケージの少なくとも一部を受容するように構成および定寸される基部と、
該基部に隣接する該密封されたパッケージの少なくとも一部の上に重なるように適合されるカバーであって、該カバーは、該パッケージを穿孔し、その中に密封された該デバイスにアクセスするために、自身を貫通して配置される入口を含み、該入口は、その中に画定される穿孔構造を収容する、カバーと
を備える、装置。
【請求項１４】
前記装置は、一体構造である、請求項１３に記載の装置。
【請求項１５】
前記密封されたパッケージは、ホイルパックである、請求項１３に記載の装置。
【請求項１６】
前記医療用デバイスは、縫合糸である、請求項１３に記載の装置。
【請求項１７】
前記入口は、自己密封式の隔壁である、請求項１３に記載の装置。
【請求項１８】
機械的係合構造をさらに備える、請求項１３に記載の装置。
【請求項１９】
前記機械的係合構造は、第１の係止部材と、第２の係止部材とを備える、請求項１８に記載の装置。
【請求項２０】
前記第１および第２の係止部材は、磁石、スナップ、リベット、ストラップ、ベルクロ、連結デバイス、およびそれらの組み合わせから成る群から選択される、請求項１９に記載の装置。
【請求項２１】
前記第１の係止部材は、概してＴ形のフランジである、請求項１９に記載の装置。
【請求項２２】
前記概してＴ形のフランジは、前記第２の係止部材を係合するために、アームと、前方フランジと、後方フランジとを備える、請求項２１に記載の装置。
【請求項２３】
前記第２の係止部材は、概してＬ形のフランジを備える、請求項１９に記載の装置。
【請求項２４】
前記概してＬ形のフランジは、前記第１の係止部材を係合するために、アームと、縁部とを備える、請求項２３に記載の装置。
【請求項２５】
パッケージ内に密封された医療用デバイスにアクセスする方法であって、
基部を有する装置内に密封されたパッケージを挿入することであって、該基部は、該パッケージの少なくとも一部を受容するように構成および定寸される、ことと、
該基部に隣接する該密封されたパッケージの少なくとも一部の上に重なるようにカバーを配置することであって、該カバーは、それを貫通して画定される入口を含む、ことと、
該入口の中に画定される穿孔構造によって、該パッケージを穿孔することと
を備える、方法。
【発明の詳細な説明】
【技術分野】
【０００１】
（関連出願の相互参照）
本願は、米国仮特許出願第６０／９０４，９２４号（２００７年３月５日出願）に基づく優先権の利益を主張し、この出願の全開示は、本明細書に参考として援用される。
【０００２】
（技術の分野）
本開示は、医療用包装のための装置に関し、より具体的には、パッケージ内に密封された医療用デバイスにアクセスするための装置に関する。
【背景技術】
【０００３】
（関連技術の背景）
医療従事者、例えば、外科医は、一般に移植に先立って、薬剤によって医療用デバイスを処理する。例えば、縫合糸を潤滑剤、接着剤、被覆材料、または薬物によって処理し、引張強度、容易な滑脱性、糸の締結、または再配置、および抗菌作用等、縫合糸の特定の物理的特徴を向上させてもよい。
【０００４】
多くの場合、医療従事者は、無菌包装から医療用デバイスを取り出し、次いで、鋭利なデバイスを含む種々の手術用器具を使用して、薬剤を塗布するであろう。パッケージからデバイスを取り出すことによって、無菌性が低減されるだけでなく、鋭利なデバイスの使用による薬剤の塗布によって、医療従事者に外傷を及ぼす場合がある。さらに、オリジナルパッケージの外での医療用デバイスへの薬剤を塗布する本プロセスは、時間がかかり、若干の薬剤が流出し、損失する可能性があるため、不正確である場合が多い。
【発明の概要】
【発明が解決しようとする課題】
【０００５】
したがって、本開示は、装置の外側と、パッケージ内に収容された医療用デバイスとの間での薬剤の送達のために、パッケージ内に密封された医療用デバイスにアクセスするための装置を記載する。本装置によって、医療従事者は、医療用デバイスに薬剤を効率的に分注する一方、無菌性を保持し、薬剤の浪費を減少させることが可能となる。
【課題を解決するための手段】
【０００６】
本開示は、パッケージ内に密封された医療用デバイスにアクセスするための装置を記載する。本装置は、医療用デバイスを収容する密封されたパッケージの少なくとも一部を受容するように構成および定寸される基部と、基部に隣接する密封されたパッケージの少なくとも一部の上に重なるように適合されるカバーとを含む。カバーは、パッケージ上の所定の位置に隣接して配置される入口を含み、この入口は、それを貫通する穿孔構造を受容するように構成および定寸され、その穿孔構造は、パッケージを穿孔し、その中に密封されたデバイスにアクセスする。実施形態では、入口は、パッケージを穿孔し、その中に密封されたデバイスにアクセスするために、その中に画定される穿孔構造を含む。他の実施形態では、穿孔構造は、入口から離間している。また、パッケージ内に密封された医療用デバイスにアクセスする方法も開示される。
【図面の簡単な説明】
【０００７】
本明細書では、図面を参照して、種々の実施形態が記載される。
【図１】図１は、本明細書に開示されるように、開放姿勢にある装置の斜視図である。
【図２】図２は、本明細書に開示されるように、閉鎖姿勢にある装置の側面図である。
【図３Ａ】図３Ａ−３Ｄは、本明細書に開示されるように、機械的係合構造の拡大側面図である。
【図３Ｂ】図３Ａ−３Ｄは、本明細書に開示されるように、機械的係合構造の拡大側面図である。
【図３Ｃ】図３Ａ−３Ｄは、本明細書に開示されるように、機械的係合構造の拡大側面図である。
【図３Ｄ】図３Ａ−３Ｄは、本明細書に開示されるように、機械的係合構造の拡大側面図である。
【図４】図４は、本明細書に開示されるように、開放姿勢にある装置の斜視図である。
【図５】図５は、本明細書に開示されるように、開放姿勢にある装置の斜視図である。
【発明を実施するための形態】
【０００８】
本明細書に記載される装置は、基部と、カバーとを含む。基部は、医療用デバイスを収容するパッケージの少なくとも一部を受容するように構成および定寸される。カバーは、基部に隣接するパッケージの少なくとも一部の上に重なるように適合され、そして、自身を貫通して画定される入口を含む。入口は、パッケージ上の所定の位置に隣接して配置されてもよく、そして、入口は、それを貫通して穿孔構造を受容するように構成および定寸されて、穿孔構造はパッケージを穿孔し、その中に収容される医療用デバイスにアクセスする。
【０００９】
基部およびカバーは、矩形、三角形、円形、および六角形を含む、任意のサイズおよび形状に構成および定寸されてもよいことが想定される。基部およびカバーは、対称的に構成および定寸される必要がないことがさらに想定される。むしろ、基部およびカバーは、非対称の異なるサイズおよび形状に構成および定寸されてもよい。
【００１０】
実施形態では、本装置は、一体構造であって、基部およびカバーは、１片の材料から生成される。他の実施形態では、本装置はまた、２片以上の材料から生成される基部およびカバーを含み、それによって、一体型ではない構造を形成してもよい。本装置は、パッケージ内に密封された医療用デバイスにアクセスするために好適な任意のポリマー、セラミック、熱可塑性物質、金属、天然、または合成材料から形成されてもよい。任意の天然または合成ポリマー材料を使用して、本装置を形成してもよいが、いくつかの非限定の実施例として、ポリエチレン、ポリプロピレン、ポリカーボネート、ポリエステル、ポリカプロラクトン、テレフタル酸ポリエチレン、およびポリシロキサン等の材料を含む、ポリマー、コポリマー、ホモポリマー、ブロックコポリマー、およびランダムコポリマーが挙げられる。
【００１１】
一体構造である装置は、本装置の一端で継合し、一体ヒンジを形成する、基部およびカバーを含む。「一体ヒンジ」とは、１つ以上の方向に枢動する自然偏向力を有する、単一片の材料として定義される。一体ヒンジを形成する際に、本明細書に記載される装置は、開放姿勢（図１参照）から閉鎖姿勢（図２参照）まで枢動することが可能な基部およびカバーを含み、密封されたパッケージが本装置に侵入し、そこから出ることを可能にする。
【００１２】
一体構造ではない装置は、ヒンジ部材によって接続される、２片以上の材料から作成される基部およびカバーを含む（図５参照）。ヒンジ部材は、基部およびカバーが開放姿勢から閉鎖姿勢まで枢動することを可能にし、必要に応じて、密封されたパッケージが本装置に侵入し、そこから出ることを可能にする。
【００１３】
カバーは、それを貫通して画定される入口を含み、入口は、そこを通って穿孔構造を受容するように構成および定寸され、穿孔構造は、パッケージを穿孔し、その中に密封された医療用デバイスにアクセスする。いくつかの実施形態では、入口は、密封されたパッケージへのアクセスに先立って、別個の穿孔構造を受容するためのガイドであってもよい（図１参照）。いくつかの実施形態では、入口は、入口を貫通するための鋭利なデバイスを必要とする、自己密封式の隔壁を含んでもよい。さらに他の実施形態では、入口は、本装置が閉鎖姿勢にあるときに、密封されたパッケージを穿孔可能な穿孔構造（図４参照）を含んでもよい。
【００１４】
入口は、本装置のユーザが、パッケージ内に収容される医療用デバイスと、本装置の外側との間を、少なくとも１つの薬剤を通過させることが可能なように設計される。いくつかの実施形態では、入口は、穿孔構造と、薬剤とを収容する送達デバイスを受容し、送達デバイスは、密封されたパッケージを貫通し、薬剤をパッケージ内の、その中に収容される医療用デバイスに送達する。いくつかの実施形態では、送達デバイスを使用して、流体を抜き取ることが可能であって、医療用デバイスは、パッケージ内に格納されてもよい。
【００１５】
本装置を使用して、パッケージの内側と、本装置の外側との間で、薬剤を受け渡してもよい。薬剤は、固体、液体、半固体、気体、またはそれらの任意の組み合わせとして、本装置を介して受け渡されてもよい。少なくとも１つの薬剤は、医療用デバイスとの組み合わせに好適な、任意の生体活性および／または非生体活性の薬剤から選択されてもよい。好適な薬剤として、防腐剤、麻酔剤、筋肉弛緩剤、抗ヒスタミン剤、鬱血除去剤、抗菌剤、抗ウイルス剤、抗真菌剤、抗マラリア薬、抗アメーバ剤、抗結核剤、抗レトロウイルス剤、抗らい菌剤、抗原虫剤、駆虫剤、抗生物質、ステロイド、造血剤、抗血小板剤、抗凝固剤、凝固剤、血栓溶解剤、ヘモレオロジー剤、止血剤、血漿増量剤、ホルモン、性ホルモン、子宮活性剤、重リン酸塩、抗糖尿病剤、グルコース上昇剤、成長ホルモン、甲状腺ホルモン、強心剤、抗不整脈剤、カルシウムチャネル阻害薬、血管拡張剤、交換神経遮断剤、抗高脂血症剤、血管収縮剤、アンジオテンシンアンタゴニスト、硬化剤、抗インポテンス剤、尿塩基性化剤、尿酸性化剤、抗コリン作用剤、利尿剤、気管支拡張剤、界面活性剤、抗うつ剤、抗精神病剤、抗不安剤、鎮静剤、催眠剤、バルビツレート、制吐剤、鎮痛剤、興奮剤、抗痙攣剤、抗パーキンソン病剤、プロトンポンプインヒビター、Ｈ２−アンタゴニスト、鎮痙剤、緩下剤、止瀉剤、抗膨満剤、消化酵素、胆石可溶化剤、抗高血圧剤、コレステロール低下剤、放射線不透過性剤、免疫グロブリン、モノクローナル抗体、抗体、抗毒素、抗蛇毒素、免疫剤、抗炎症剤、抗腫瘍剤、アルキル化剤、代謝拮抗剤、抗有糸分裂剤、放射性医薬品、ビタミン、ハーブ、微量元素、アミノ酸、酵素、キレート剤、免疫調節剤、および免疫抑制剤等の薬剤；潤滑剤、シリコーン、蜜ろう、もしくはポリテトラフルオロエチレン等の非生体吸収性物質、ならびにコラーゲン、キトサン、キチン、カルボキシメチルセルロース、およびポリアルキレングリコールのホモポリマーおよび／またはコポリマー、および高級脂肪酸またはその塩もしくはエステル、グリコール酸、グリコリド、乳酸、ラクチド、ｐ-ジオキサノン、バレロラクトンおよび鎖状脂肪族ヒドロキシカルボン酸由来の他のラクトン、α-ヒドロキシ酪酸、エチレンカーボネート、エチレンオキシド、酸化プロピレン、プロピレンカーボネート、ラクトン、コハク酸、アジピン酸および他の鎖状脂肪族ジカルボン酸、およびブタンジオールおよびヘキサンジオール等の鎖状脂肪族ジオール等の生体吸収性物質等の被覆材料；創傷治癒薬剤；癒着剤；封止剤；血液製剤；血液成分；保存料；着色剤；染料；紫外線吸収剤；紫外線安定剤；フォトクロミック剤；抗癒着剤；タンパク質；多糖類；ペプチド；遺伝物質；ウイルスベクター；核酸；ヌクレオチド；プラスミド；リンフォカイン；放射性薬剤；金属；合金；塩；成長因子成長因子拮抗剤；細胞；疎水性剤；親水性剤；免疫学的薬剤；抗転移増殖剤；診断用薬剤；画像化剤；架橋剤；水、食塩水、デキストロース等の希釈剤が挙げられるが、これらに限定されない。当然ながら、これらの薬剤の任意の組み合わせもまた、パッケージ内に収容される医療用デバイスに受け渡されてもよい。
【００１６】
密封されたパッケージは、医療用デバイス用の包装を形成するために好適な任意の材料から作成されてもよい。いくつかの非限定的な実施例として、ホイルパック、Ｔｙｖｅｋ（登録商標）バッグ、紙、またはプラスチック製リテーナ等が挙げられる。パッケージは、当業者に周知の任意の医療用デバイスまたは移植片を含む。実施形態では、医療用デバイスは、縫合糸、メッシュ、パッチ、つり包帯、ステープル、アンカー、ピン、ネジ山、接着バリア、およびそれらの組み合わせから成る群から選択される。
【００１７】
次に、図１−５を参照すると、近位端および遠位端を有するパッケージ２０内の医療用デバイスにアクセスするための装置１０が示される。用語「近位」とは、基部３０とカバー４０とが継合する位置により近い装置１０の端部を指し、用語「遠位」とは、基部３０とカバー４０とが継合する位置からより遠い端部を指す。
【００１８】
次に、図１を参照すると、装置１０は、開放姿勢で示され、基部３０とカバー４０との遠位端が離間しており、それによって、医療用デバイスを収容するパッケージ２０が装置１０の中に導入されることを可能にする。基部３０とカバー４０とは、装置１０の近位端において継合して、一体ヒンジ５０を形成し、それによって、基部３０とカバー４０とは、示されている開放姿勢において、互いから離れる方向に枢動可能となる。また、一体ヒンジ５０によって、基部３０とカバー４０とは、互いに向かって枢動して、閉鎖姿勢を形成することが可能となる（図２参照）。カバー４０は、送達デバイス（図示せず）を受容するためのガイドとして示される入口６０を含む。選択的に、入口６０は、送達デバイスを適所に係止するための手段、例えば、ネジ山を含んでもよい。
【００１９】
加えて、装置１０は、第１の係止部材７２と、第２の係止部材７６とを含む、少なくとも１つの機械的係合構造７０をさらに含む。機械的係合構造７０は、互いに相互作用して、基部３０およびカバー４０を閉鎖姿勢に係止可能である、任意の種類の第１および第２の係止部材７２、７６を含んでもよいことが想定される。図３Ａから３Ｄに示されるように、好適な係止部材のいくつかの非限定的な実施例として、磁石、ベルクロ、スナップ、連結デバイス、およびそれらの組み合わせが挙げられる。
【００２０】
さらに図１に示されるように、第１の係止部材７２は、カバー４０の前縁４５に隣接して配置され、第２の係止部材７６は、基部３０の前縁３５に隣接して配置される。機械的係止構造７０は、第１および第２の係止部材７２、７６が互いに係合可能なように、基部３０およびカバー４０の周縁に沿った任意の場所に配置されてもよいことが想定される。
【００２１】
図２においては、パッケージ２０は、閉鎖姿勢にある装置１０内に配置される。送達デバイス６７は、入口６０の中に配置される。穿孔構造６５は、密封されたパッケージ２０にアクセスしている。実施形態では、穿孔構造６５は、入口６０の中に組み込まれ、パッケージ２０にアクセスする。一部の実施形態では、穿孔構造６５は、送達デバイス６７に取り付けられて、パッケージ２０および入口６０にアクセスする。基部３０とカバー４０とは、装置１０の近位端において継合して一体ヒンジ５０を形成し、これは、基部３０とカバー４０とが互いに垂直方向の位置合わせ位置に枢動して、機械的係合することを容易にする。カバー４０が基部３０との垂直方向の位置合わせ位置へ枢動すると、カバー４０の第１の係止部材７２は、基部３０の第２の係止部材７６に係合して、装置１０を閉鎖姿勢に維持する。
【００２２】
図３Ａに示される実施形態では、機械的係合構造７０は、機械的に連結するように構成される、概してＴ形を有する第１の係止部材７２と、概してＬ形を有する第２の係止部材７６とを含む（図３参照）。概してＴ形の第１の係止部材７２は、カバー４０から相対的に下方へ延在する第１のアーム７３と、前方フランジ７４と、後方フランジ７５とを含む。概してＬ形の第２の係止部材７６は、基部３０から相対的に上方へ延在する第２のアーム７７と、第１の係止部材７２の後方フランジ７５と係合するための縁部７８とを含む。
【００２３】
カバー４０が、基部３０との垂直方向の位置合わせ位置に近づくにつれて、第１の係止部材７２は、第２の係止部材７６の上を通過させられ、第２の係止部材７６は、第１の係止部材７２をわずかに枢動するように強制し、第１の係止部材７２の後方フランジ７５が、第２の係止部材７６の縁部７８によって係合されることを可能にすることが想定される。カバー４０を基部３０から解放するために、上方への力を前方フランジ７４に作用させて、第１の係止部材７２をわずかに枢動するように強制し、後方フランジ７５を第２の係止部材７６の縁部７８との係合から解放する。第１の係止部材７２と第２の係止部材７６との係脱は、一体ヒンジ５０の偏向力が、基部３０とカバー４０とを互いから離れる方向に枢動させて開放姿勢になるように強制する。
【００２４】
図３Ｂ−３Ｄは、第１の係止部材７２と第２の係止部材７６とが、磁石、ベルクロ、またはスナップのそれぞれの使用によって、機械的に係合する他の実施形態を示す。当然ながら、これらの係止部材の組み合わせもまた、閉鎖姿勢に装置１０を維持する際に使用されてもよい。
【００２５】
ここで図４を参照すると、基部３０とカバー４０とを含む装置１０が開放姿勢で示され、カバー４０は、それを貫通して画定される入口６０を有する。一部の実施形態では、入口６０は、密封されたパッケージ２０を穿孔し、その中に収納される医療用デバイスにアクセスするための穿孔構造６５を含む。穿孔構造６５は、パッケージ２０を貫通し、医療用デバイスにアクセス可能な任意のポリマーまたは金属材料から作成されてもよい。
【００２６】
いくつかの実施形態では、装置１０は、装置１０の近位端の少なくとも一部に沿って配置される開口８０をさらに含む。開口８０は、図４に示されるように、密封されたパッケージ２０の少なくとも一部がそこを通過可能なように構成および定寸される。パッケージ２０は、次いで、装置１０の遠位端に侵入し、開口８０を通過し、そして、装置１０の近位端の近傍から出ることが可能となる。開口８０は、装置１０が、パッケージ２０のより多くの部分を収容し、それによって、入口６０を密封されたパッケージ２０のより大きな部分に隣接して配置することが可能となる。開口８０は、一体ヒンジ５０に隣接して配置されてもよい。代替として、開口８０は、一体ヒンジ５０を貫通して画定されてもよい。
【００２７】
一部の実施形態では、装置１０は、少なくとも１つのガイド部材９０をさらに含む。ガイド部材９０は、基部３０および／またはカバー４０の上に配置され、装置１０のユーザが、密封されたパッケージ２０を装置１０の中に誘導する際の補助となってもよい。示されるように、ガイド部材９０は、基部３０上の一体ヒンジ５０と概して直角に配置されるが、ガイド部材９０は、装置１０上に、任意のパターン、設計、または角度で配置されてもよいことが想定される。
【００２８】
装置１０は、装置１０のヒンジ部分に対して任意の角度で、密封されたパッケージ２０を受容してもよいことがさらに想定される。図１−５では、一体ヒンジ５０と直角に装置１０に侵入するように示されているが、密封されたパッケージ２０は、一体ヒンジ５０に対して鋭角で装置１０に侵入してもよい。代替として、密封されたパッケージ２０は、一体ヒンジ５０と平行に、装置１０に侵入してもよい。
【００２９】
図５においては、装置１０は、一体構造ではなく、ヒンジ部材５２を含み、ヒンジ部材は、基部３０をカバー４０に接続し、そして、基部３０とカバー４０とを互いに垂直方向の位置合わせ位置に枢動して、機械的係合を容易にする。一部の実施形態では、ヒンジ部材５２は、開放姿勢に維持するために、バネ（図示せず）を含むか、または自然偏向力を発揮してもよい。
【００３０】
本明細書に記載される装置を使用して、パッケージ内に密封された医療用デバイスにアクセスしてもよい。使用方法は、パッケージの少なくとも一部を受容するように構成および定寸される基部を有する装置内に、密封されたパッケージを挿入するステップから始まる。本方法は、基部に隣接する密封されたパッケージの少なくとも一部の上に重なるように、自身を貫通して画定される入口を有するカバーを配置するステップ、そして、入口の中に画定される穿孔構造によって、パッケージを穿孔するステップを続ける。
【００３１】
当然ながら、本明細書に記載される実施形態の任意の組み合わせが、パッケージ内に密封された医療用デバイスにアクセスするための装置を形成するために使用されてもよいことを理解されたい。さらに、種々の修正が、本明細書に開示される実施形態に成されてもよいことを理解されるであろう。したがって、前述の説明は、限定するものではなく、好ましい実施形態の単なる例示であると解釈されたい。当業者は、本開示の範囲および精神の中において、他の修正を想定するであろう。被覆されたフィラメントの種々の修正および変形例、ならびにその使用は、前述の発明を実施するための形態から、当業者には明白となるであろう。そのような修正および変形例は、以下の請求項の範囲内であると意図される。
【図１】
2010520020.tif 000003
【図２】
2010520020.tif 000004
【図３Ａ】
2010520020.tif 000005
【図３Ｂ】
2010520020.tif 000006
【図３Ｃ】
2010520020.tif 000007
【図３Ｄ】
2010520020.tif 000008
【図４】
2010520020.tif 000009
【図５】
2010520020.tif 000010
【国際調査報告】
2010520020.tif 000011